(57)【要約】【課題】十分な収容量を得ることができるとともに、収容部本体の前面を覆うかぶせ部を備えることで収容体として安心して持つことができ、収容部本体を斜めに立てることができるようにした収容体の提供を図る。【解決手段】収容部本体１１とかぶせ部２１は、斜めになった状態で折れ曲がらない剛性を備える。かぶせ部２１は、傾斜部２３とかぶせ本体２４とが所定の角度で固定され、かぶせ部２１の剛性を備える斜めになった上端と収容部本体１１の剛性を備える上端との位置が異なる状態で、両者が支え合うことで安定的に自立する。【選択図】          図２
2020192223.tif 000002
【特許請求の範囲】
【請求項１】
収容部本体と、前記収容部本体の後ろから前に回されて前記収容部本体の前面を覆うかぶせ部とを備え、
前記収容部本体は、斜めになった状態で折れ曲がらない剛性を備えており、
前記かぶせ部は、斜めになった状態の前記収容部本体を支えることができる剛性を備えたかぶせ本体を有するものであり、
前記収容部本体と前記かぶせ部とは互いに斜めになった状態で支えあうことで自立状態となるものであり、
前記自立状態において、前記かぶせ本体の上端と、前記収容部本体の上端との上下位置が異なる位置にある状態で、前記収容部本体と前記かぶせ部とが上記自立状態となるものであり、
前記かぶせ部のうち、少なくともかぶせ本体は、剛性を備えていることを特徴とする収容体。
【請求項２】
前記収容部本体はマチ部を備え、
前記かぶせ部は、前記収容部本体に対して回動可能に接続された傾斜部と、前記傾斜部に対して所定の角度をもって延設された前記かぶせ本体とを備え、
前記かぶせ部を前記収容部本体の前に回した状態で、前記かぶせ本体が前記収容部本体の前面に沿わされると共に、前記傾斜部が前記前面に沿わされた前記かぶせ本体に対して傾斜した状態で前記収容部本体の上面を覆うものであり、
前記かぶせ部を前記収容部本体の後に回した状態で、前記傾斜部が前記収容部本体の後面の上部に当接すると共に、前記かぶせ本体が前記傾斜部との角度を維持することを特徴とする請求項１記載の収容体。
【請求項３】
前記収容部本体と前記傾斜部とが柔軟な接続部を介して接続されたことを特徴とする請求項２に記載の収容体。
【請求項４】
前記収容部本体と前記ぶせ本体との少なくとも何れか一方に、前後に回動可能に接続された回動係止部を備え、
前記かぶせ部が前記収容部本体の後に回された状態で、前記回動係止部が前記収容部本体と前記かぶせ本体との間に渡されて、前記収容部本体と前記ぶせ本体との少なくとも何れか他方を係止し、
前記かぶせ部が前記収容部本体の前に回されて前記収容部本体に沿わされた状態で、前記回動係止部が、前記収容部本体と前記ぶせ本体との少なくとも何れか他方を係止するように構成されたことを特徴とする請求項１〜３の何れかに記載の収容体。
【発明の詳細な説明】
【技術分野】
【０００１】
本発明は、収容体に関するものである。
【背景技術】
【０００２】
従来、収容体、特に斜めにした状態で自立する収容体として、下記の先行技術文献に示すものが知られている。
これらの収容体は、種々の物品を収納して持ち運びすることができることがもちろん、斜めにした状態でデスク上に自立させることによって、種々の物品をデスク上に見やすく取り出しやすく立体的に配列することができる。
具体的には、特許文献１は、ケース本体とカバーを連結軸にて開閉自在に形成すると共に、ケース本体に下部を固定部にて固定し、上部をカバーあるいはケース本体の上端面に係止してなる係止片を形設したスタンド板を設け、カバーを連結軸を中心にして反転し、スタンド板を固定部を支点に下方に落下させ、カバーの先端面を係止片に係止させケース本体を斜状に自立させることを特徴とするスタンドになるケースを開示している。
ところが特許文献1のケースでは、ケース本体とカバーを連結軸にて開閉自在に形成するものであるため、ケース本体のマチ幅を大きくするとカバーを閉じることができず、ケース本体の収容量が小さなものに限られてしまう。
特許文献２は、ファイル兼譜面台を開示しているが、特許文献１と同様ファイル本体の収容量が小さなものに限られてしまう。
また、ケース本体に十分な大きさのマチ幅を備えたものも市販されているが、カバーのないケース本体のみから構成されているに過ぎない。そのためバッグインバッグとして使用することを前提としたものと言わざるを得ず、単独で持つとケース本体の正面のポケットに収容した物品の上部が外部にそのまま露出したままになってしまう。
【先行技術文献】
【特許文献】
【０００３】
【特許文献１】特許第５１９２６０２号公報
【特許文献２】特許第４７３０８６２号公報
【発明の概要】
【発明が解決しようとする課題】
【０００４】
本発明は、十分な収容量を得ることができるとともに、収容部本体の前面を覆うかぶせ部を備えることで収容体として安心して持つことができ、収容部本体を斜めに立てることができるようにした収容体の提供を図ることを課題とする。
【課題を解決するための手段】
【０００５】
本発明は、収容部本体と、前記収容部本体の後ろから前に回されて前記収容部本体の前面を覆うかぶせ部とを備えた収容体の改良に関するものである。
前記収容部本体は、斜めになった状態で折れ曲がらない剛性を備えており、前記かぶせ部は、斜めになった状態の前記収容部本体を支えることができる剛性を備えたかぶせ本体を有するものである。前記収容部本体と前記かぶせ部とは互いに斜めになった状態で支えあうことで自立状態となるものであり、前記自立状態において、前記かぶせ本体の上端と、前記収容部本体の上端との上下位置が異なる位置にある状態で、前記収容部本体と前記かぶせ部とが上記自立状態となるものであり、前記かぶせ部のうち、少なくともかぶせ本体は、剛性を備えている収容体を提供するものである。
前記収容部本体はマチ部を設けずに実施することもできるが、マチ部を設けて大きな厚みのある収容体としても実施することができる。
前記かぶせ部は、前記収容部本体に対して回動可能に接続された傾斜部と、前記傾斜部に対して所定の角度をもって延設されたかぶせ本体とを備えたものとすることにより、大きな厚みのある収容体として、実施するのに有利である。
すなわち、前記かぶせ部を前記収容部本体の前に回した状態で、前記かぶせ本体が前記収容部本体の前面に沿わされると共に、前記傾斜部が前記かぶせ本体に対して傾斜した状態で前記収容部本体の上面を覆うことができると共に、前記かぶせ部を前記収容部本体の後に回した状態で、前記傾斜部が前記収容部本体の後面の上部に当接すると共に、前記かぶせ本体が前記傾斜部との角度を維持する。
さらに本発明は、前記収容部本体と前記傾斜部とが柔軟な接続部を介して接続されたものとして実施することができる。
またさらに本発明は、前記収容部本体と前記ぶせ本体との少なくとも何れか一方に、前後に回動可能に接続された回動係止部を備え、前記かぶせ部が前記収容部本体の後に回された状態で、前記回動係止部が前記収容部本体と前記かぶせ本体との間に渡されて、前記収容部本体と前記ぶせ本体との少なくとも何れか他方を係止し、前記かぶせ部が前記収容部本体の前に回されて前記収容部本体に沿わされた状態で、前記回動係止部が、前記収容部本体と前記ぶせ本体との少なくとも何れか他方を係止するように構成して実施することができる。
前記収容部本体と前記かぶせ部とは柔軟なシートによる縫製品として実施した場合には、前記傾斜部と前記かぶせ本体とが所定の角度を維持するための剛性を備えた芯材を有するものとすることが適当である。
【発明の効果】
【０００６】
本発明は、十分な収容量を得ることができるとともに、収容部本体の前面を覆うかぶせ部を備えることで収容体として安心して持つことができ、収容部本体を斜めに立てることができるようにした収容体の提供を図ることができたものである。
【図面の簡単な説明】
【０００７】
【図１】本発明の実施の形態に係る収容体であってかぶせ部を閉じた状態を示すもので、(1)は正面図、(2)は右側面図、(3)は左側面図、(4)は平面図、(5)は底面図、(6)は背面図である。
【図２】同収容体であってかぶせ部を後ろに回して自立させた状態を示すもので、(1)は正面図、(2)は右側面図、(3)は左側面図、(4)は平面図、(5)は底面図、(6)は背面図である。
【図３】同収容体であってかぶせ部を後ろに回して自立させた状態を示すもので、(1)は正面側からの斜視図、(2)は背面側からの斜視図である。
【図４】同収容体であってかぶせ部を上に伸ばした状態を示すもので、(1)は正面図、(2)は背面図である。
【図５】収容体の芯材の配置を示すもので、(1)は正面図、(2)は右側面図、(3)は左側面図、(4)は平面図、(5)は底面図、(6)は背面図である。
【図６】同収容体であってかぶせ部を後ろに回して自立させた状態の芯材の配置を示すもので、(1)は正面図、(2)は右側面図、(3)は左側面図、(4)は平面図、(5)は底面図、(6)は背面図である。
【図７】同収容体であってかぶせ部を後ろに回して自立させた状態の芯材の配置を示すもので、(1)は正面側からの斜視図、(2)は背面側からの斜視図である。
【図８】同収容体であってかぶせ部を後ろに回して収容本体に沿わせた状態の芯材の配置を示すもので、(1)は正面図、(2)は右側面図、(3)平面図である。
【図９】縫製品として実施した同収容体の正面図。
【図１０】縫製品として実施した同収容体の右側面図。
【図１１】同収容体であってかぶせ部を後ろに回して開いた状態の右側面図。
【図１２】縫製品として実施した同収容体の背面図。
【図１３】同収容体であってかぶせ部を後ろに回して自立させた状態の正面図。
【図１４】同収容体であってかぶせ部を後ろに回して自立させた状態の右側面図。
【図１５】同収容体であってかぶせ部を後ろに回して自立させた状態の背面図。
【図１６】同収容体であってかぶせ部を後ろに回して自立させた状態の正面側からの斜視図。
【図１７】同収容体であってかぶせ部を後ろに回して自立させた状態の背面側からの斜視図。
【発明を実施するための形態】
【０００８】
以下、図面に基づき本発明の実施の形態を説明する
【０００９】
（概要）
この実施の形態に係る収容体は収容部本体１１とかぶせ部２１とを備え、収容部本体１１の下部には回動係止部３１が設けられている。
収容部本体１１は、斜めになった状態で折れ曲がらない剛性を備えており、かぶせ部２１は、斜めになった状態の前記収容部本体を支えることができる剛性を備えている。通常のバッグと同様に、かぶせ部２１は収容部本体１１の上部に前後に回動可能に設けられているが、この実施の形態に係る収容体では、後ろに回したかぶせ部２１と収容部本体１１とが支え合うことによって、前記収容部本体収容部本体１１が斜めに立つように構成されている。この自立した状態で、後ろに回したかぶせ部２１のうち、収容部本体１１に対して斜めになっており剛性を有しているかぶせ本体２４の上端と、収容部本体１１の剛性を備える上端との上下位置は一致しておらず、上下にズレているものである。
この収容体は、図９〜図１７に示すように布製の縫製品として実施することもできるし、合成樹脂製の硬質シート製品として実施することもできるなど、種々の材質及び製造方法で実施することができる。
【００１０】
（収容部本体１１について）
収容部本体１１は一般的なバッグと同様、矩形状の前面部１２と、その背面側に配置された後面部１３と、両者をつなぐ底面部１４と左右のマチ部１５を備えている。底面部１４とマチ部１５については目的とする収容量に応じて適宜のマチ幅として実施することができるものであって、従来の特許文献に示されたもののようにそのマチ幅に制限を設ける必要はない。
前面部１２と後面部１３の上端同士は解放されたものとされているが、天ファスナ（図示ぜず）で開閉可能となっているものでも構わないし、必要に応じて開閉可能な天部を設けて実施しても構わない。
前面部１２には、複数のポケットが設けられており、この例では上下二段の前面ポケット布１７を前面部１２の左右に渡して上下二段のポケットが設けられている。前面ポケット布１７はミシン縫いなどで複数に区分され、文房具や、眼鏡や、スマートフォンなどのモバイル端末などを整理して収納できる
【００１１】
（収容部本体１１の芯材について）
図５〜図８に示すように、収容部本体１１の内部には芯材として、本体芯材４１が配置され、収容部本体１１は、これによって斜めに立てかけた状態でも自立することができる剛性を備えたものになっている。具体的には後面部１３の内部に芯材用の針金が本体芯材４１として配置されている。より具体的には、二重袋になった本体芯材４１の内部に、下端辺に沿って本体下部芯材４２が、左右の側辺に沿って本体側部芯材４３が、上端辺に沿って本体上部芯材４４が、全体として矩形の環状をなすように配置されている。なお必要に応じて、合成樹脂や紙製の硬質のプレートを付加して実施することもできるし、針金に代えてプレートのみで実施することもできる
【００１２】
（かぶせ部２１について）
かぶせ部２１は、収容部本体１１の後面部１３の上端辺に回動可能に接続されているもので、後面部１３に対して回動可能に接続された傾斜部２３と、傾斜部２３に対して所定の角度をもって延設されたかぶせ本体２４とを備えたものになっている。
そして、柔軟な接続部２２を介して収容部本体１１と傾斜部２３とが接続されており、接続部２２の柔軟性によってかぶせ部２１は収容部本体１１に対して前後に回動することができる
【００１３】
（かぶせ部２１の芯材について）
図５〜図８に示すように、かぶせ部２１の内部には芯材として、かぶせ芯材４５が配置され、かぶせ部２１は、これによって斜めになった収容部本体１１と支えあって全体として自立することができる剛性を備えたものになっている。
具体的には傾斜部２３とかぶせ本体２４の内部に芯材用の針金が本体芯材４１として配置されている。より具体的には、二重袋になったかぶせ部２１の内部において、かぶせ本体２４の下端辺に沿ってかぶせ下部芯材４６が、かぶせ本体２４の左右の側辺に沿ってかぶせ側部芯材４７が、傾斜部２３の左右の側辺に沿って傾斜部芯材４８が、さらに、傾斜部２３における接続部２２との境界線に沿って左右のかぶせ上部芯材４９が、全体として矩形のＣ字状をなすように配置されている。なお、左右のかぶせ上部芯材４９同士をつなげて全体として環状をなすようにしても構わない。また必要に応じて、合成樹脂や紙製の硬質のプレートを付加して実施することもできるし、針金に代えてプレートのみで実施することもできる
【００１４】
（かぶせ部２１の働き）
前に回したかぶせ部２１によって前面部１２のほぼ全体、少なくとも前面ポケット布１７よりも上方部分が覆われることによって、前面ポケット布１７より上に突出した収納物品が覆われて、収納物品を安全に隠して持つことができる。
図６に示すように、後ろに回したかぶせ部２１のうち、傾斜部２３は収容部本体１１の後面部１３に略沿わされ、かぶせ本体２４は収容部本体１１の後面部１３に対して斜めになった状態で下方に伸びる。したがって、収容部本体１１に対して斜めになっている剛性を備えた上端（すなわちかぶせ本体２４の上端）と、収容部本体１１の後面部１３との、上下位置は一致しておらず、上下にズレているものである。
このように傾斜部２３の少なくとも一部が後面部１３に接触しているため、かぶせ本体２４と後面部１３とは所定の角度に保たれる。例えば傾斜部２３とかぶせ本体２４の角度α（図２参照）を約120〜160度とすると、かぶせ本体２４と後面部１３とは約60〜20度に保たれる。なお、図２に示すようにこの角度αを90度に近づけると、自立状態で、傾斜部２３とかぶせ本体２４との角が、収容部本体１１の後面部１３に当接しやすくなる。他方この角度αを180度に近づけると、自立状態で、傾斜部２３の先端が、収容部本体１１の後面部１３に当接しやすくなる。これによって、かぶせ本体２４と後面部１３の下端同士は所定の間隔で開かれ、収容部本体１１とかぶせ部２１とが支えあった状態で全体として自立することができる。
他方、かぶせ部２１を収容部本体１１の前に回した場合には、かぶせ本体２４が収容部本体１１の前面部１２に略沿わされると共に、傾斜部２３がかぶせ本体２４に対して傾斜した状態で収容部本体１１の上面を覆う状態となる。
【００１５】
さらに、図８に示すように、後ろに回したかぶせ本体２４を収容部本体１１の後面部１３に略沿わせて持つこともできる。これは、柔軟な接続部２２を適当な幅寸法（４〜３０ｍｍ程度）することによって、動きに余裕を持たせることができることによるものである。
このように、後ろに回したかぶせ本体２４を収容部本体１１の後面部１３に略沿わせて持つこともできるため、例えば一度自立させた後に、収容体を持って席を移動する場合など、簡単に持ち運びすることができ、しかも再度自立させることも素早く簡単にできる
【００１６】
（回動係止部３１について）
以上の構成によって、自律性を有すると共に収容物を確実に守ることができる収容体として使用することができるが、この実施の形態では回動係止部３１が付加的に設けられている。
回動係止部３１は全体に帯状をなしており、収容部本体１１の後ろ側の底付近（縫製品の場合後面部１３と底面部１４の間の縫製箇所）に回動可能に接続された基端から先端に向けて、底対応部３２、前対応部３３及び係止部３４が回動可能に連設されている。
かぶせ部２１を収容部本体１１の前にまわす時には、底対応部３２が後面部１３に沿わされ、前対応部３３と係止部３４が前面部１２に沿わされる。係止部３４と前面部１２との間は、図示は省略するが、マグネットホックや嵌合ホックなどの係止具によって、互いに係脱可能とされている。
かぶせ部２１を収容部本体１１の後に回した状態では、回動係止部３１が後ろに回される。後ろに回された回動係止部３１は収容部本体１１から後方に伸びて、斜め後方に開いたかぶせ部２１を係止する。詳しくは、係止部３４がかぶせ本体２４の後方に回されて、係止部３４がかぶせ本体２４に沿わされる。係止部３４とかぶせ本体２４との間は、図示は省略するが、マグネットホックや嵌合ホックなどの係止具によって、互いに係脱可能とされている。これによって、かぶせ部２１のかぶせ本体２４を収容部本体１１に対して傾斜させた状態に維持することができ、収容体の自立状態を確実なものとすることができる。
なお、回動係止部３１はかぶせ部２１側に設けて実施しても構わない。
【００１７】
（変更例）
本発明は、かぶせ部２１に提げ手２５を取り付けて実施することができるし、省略して実施しても構わないし、また、かぶせ部２１にポケット（図示せず）を設けてもよく、これをかぶせ部ファスナ２６で開閉可能にすることもできる。
本発明は、図９から図１７に示すように縫製品として実施することもできるし、図示は省略するが合成樹脂の硬質シート製で実施することもできる。合成樹脂の硬質シート製で実施する場合には、接続部２２には硬質シートに単数又は複数の折り目線を設けて実施することができるし、回動可能なヒンジとして実施することもできる。
【符号の説明】
【００１８】
１１    収容部本体
１２    前面部
１３    後面部
１４    底面部
１５    マチ部
１７    前面ポケット布
２１    かぶせ部
２２    接続部
２３    傾斜部
２４    かぶせ本体
２５    提げ手
２６    かぶせ部ファスナ
３１    回動係止部
３２    底対応部
３３    前対応部
３４    係止部
４１    本体芯材
４２    本体下部芯材
４３    本体側部芯材
４４    本体上部芯材
４５    かぶせ芯材
４６    かぶせ下部芯材
４７    かぶせ側部芯材
４８    傾斜部芯材
４９    かぶせ上部芯材
【図１】
2020192223.tif 000003
【図２】
2020192223.tif 000004
【図３】
2020192223.tif 000005
【図４】
2020192223.tif 000006
【図５】
2020192223.tif 000007
【図６】
2020192223.tif 000008
【図７】
2020192223.tif 000009
【図８】
2020192223.tif 000010
【図９】
2020192223.tif 000011
【図１０】
2020192223.tif 000012
【図１１】
2020192223.tif 000013
【図１２】
2020192223.tif 000014
【図１３】
2020192223.tif 000015
【図１４】
2020192223.tif 000016
【図１５】
2020192223.tif 000017
【図１６】
2020192223.tif 000018
【図１７】
2020192223.tif 000019